(57)【特許請求の範囲】
【請求項１】
記録媒体から読み出されたデータを蓄積するメモリと、
操作される期間が所定の期間以上のときには、上記データの早送り再生あるいは早戻し再生の指示を行い、上記操作される期間が上記所定の期間未満のときには、上記データの頭出しの指示を行うための操作手段と、
上記メモリから読み出されたデータを再生する再生手段と、
上記操作手段の指示にしたがって所定の制御を行う制御手段と
を有し、
上記制御手段の行う上記所定の制御が、
上記再生手段におけるデータの再生中に上記操作手段の操作が開始されたとき、この操作が開始される以前に上記メモリに蓄積されているデータのうち、上記所定の期間において再生するための最新の所定量のデータを上記メモリに残し、かつ、この最新の所定量のデータ以外のデータを上記メモリから捨て、その後、上記早送り再生あるいは早戻し再生に遷移してこの早送り再生あるいは早戻し再生におけるデータの上記メモリへの書き込みを開始させ、
上記早送り再生あるいは早戻し再生のデータの再生中に上記操作手段により上記早送り再生あるいは早戻し再生の解除の操作がされたときには、上記メモリに蓄積されている上記早送り再生あるいは早戻し再生のデータをすべて捨てて新たに再生用のデータを上記メモリに書き込ませ、
上記再生手段におけるデータ再生中に上記操作手段の操作が開始されたときに、この操作手段の操作された期間が上記所定の期間未満のときには、上記メモリに蓄積されているデータをすべて捨て、次のデータの先頭位置のデータの再生を実行させる
制御であるようにしたデータ再生装置。
【請求項２】
請求項１に記載のデータ再生装置において、
上記記録メディアはディスクとされるとともに、
このディスクに記録されているデータを読み出すピックアップを
有し、
上記制御手段は、
上記再生手段におけるデータ再生中に上記操作手段により上記早送りあるいは早戻しの操作がされたときには、上記ピックアップが上記ディスクからデータを読み出す位置を、上記データ再生中よりも高速に変更させるとともに、
上記早送りあるいは早戻しの操作がされる以前に上記メモリに蓄積されている再生用データのうち、最新の所定量のデータを上記メモリに残し、かつ、この最新の所定量のデータ以外のデータを上記メモリから捨て、その後、上記ピックアップにより読み出された早送りあるいは早戻しモードにおけるデータの上記メモリへの書き込みを開始させ、
上記早送りあるいは早戻しのデータの再生中に上記操作手段により上記早送りあるいは早戻しの解除の操作がされたときには、上記メモリに蓄積されている上記早送りあるいは早戻しのデータをすべて捨てて新たに再生用データを上記メモリに書き込ませる
ようにしたデータ再生装置。
【請求項３】
記録媒体から読み出されたデータをメモリに蓄積する蓄積ステップと、
操作手段の操作される期間が所定の期間以上のときには、上記データの早送りあるいは早戻しの指示を行い、上記操作される期間が上記所定の期間未満のときには、上記データの頭出しの指示を行う指示ステップと、
上記メモリから読み出されたデータを再生手段により再生する再生ステップと、
上記操作手段の指示にしたがって所定の制御を行う制御ステップと
を有し、
上記制御ステップの制御が、
上記再生手段におけるデータの再生中に上記操作手段の操作が開始されたとき、この操作が開始される以前に上記メモリに蓄積されているデータのうち、上記所定の期間において再生するための最新の所定量のデータを上記メモリに残し、かつ、この最新の所定量のデータ以外のデータを上記メモリから捨て、その後、上記早送り再生あるいは早戻し再生に遷移してこの早送り再生あるいは早戻し再生におけるデータの上記メモリへの書き込みを開始させ、
上記早送り再生あるいは早戻し再生のデータの再生中に上記操作手段により上記早送り再生あるいは早戻し再生の解除の操作がされたときには、上記メモリに蓄積されている上記早送り再生あるいは早戻し再生のデータをすべて捨てて新たに再生用のデータを上記メモリに書き込ませ、
上記再生手段におけるデータ再生中に上記操作手段の操作が開始されたときに、この操作手段の操作された期間が上記所定の期間未満のときには、上記メモリに蓄積されているデータをすべて捨て、次のデータの先頭位置のデータの再生を実行させる
制御であるようにしたデータ再生方法。
【発明の詳細な説明】
【０００１】
【発明の属する技術分野】
この発明は、ディスク再生装置に関する。
【０００２】
【従来の技術】
デジタルオーディオ信号などの記録媒体として、「ミニディスク」と呼ばれる小型の光ディスクが知られている。この光ディスクには、再生専用のものと、オーディオ信号を光磁気方式により記録し再生できるものとがあるが、記録再生用の光ディスクにより、その概要を説明すると、次のとおりである。
【０００３】
すなわち、記録時には、入力されたアナログオーディオ信号が、サンプリング周波数44.1ｋHzで、量子化ビット数16ビットのデジタルオーディオデータにＡ／Ｄ変換され、このデジタルオーディオデータは、所定の期間分ずつ順にブロック化されるとともに、そのブロックを単位としてほぼ１／５の大きさにデータ圧縮される。このデータ圧縮の方法は、人間の聴覚特性を考慮してＤＣＴとウインドウ関数とを組み合わせたものであり、ＭＤＣＴと呼ばれている。なお、以下、そのデータ圧縮のブロックを「サウンドグループ」と呼ぶ。
【０００４】
そして、その圧縮されたオーディオデータにエラー訂正のためのエンコード処理および記録のための変調処理などが行われ、これらの処理の行われたオーディオデータが、磁気ヘッドおよびレーザービームにより、ディスクの内周から外周に向かうらせん状のトラックに光磁気記録される。
【０００５】
図８は、ディスクに記録される信号のうち、圧縮処理後のデジタルオーディオデータのフォーマットを示すもので、このオーディオデータは、クラスタＣN、ＣN+1、ＣN+2、…に順番に分配されている。そして、各クラスタは、36個のセクタＬ2〜Ｌ4、Ｓ0〜Ｓ31、Ｌ1から構成され、セクタＳ0〜Ｓ31にそのデジタルオーディオデータが記録される。また、セクタＬ2〜Ｌ4、Ｌ1は、「リンキングセクタ」と呼ばれ、クラスタＣNの前後に続くクラスタＣN-1、ＣN+1との接続用である。なお、ディスクに対する記録は、１クラスタを単位として行われる。
【０００６】
そして、各セクタの大きさは2352バイトとされるとともに、オーディオ用のセクタＳ0〜Ｓ31は、それぞれ、その先頭の20バイトがヘッダとされ、残る2332バイトが424バイトずつ5.5個のブロックに分割される。このブロックが上記のサウンドグループである。なお、このとき、連続する偶数番目および奇数番目のセクタを１組とし、偶数番目のセクタの最後の0.5サウンドグループと、奇数番目のセクタの最初の0.5サウンドグループとで、１つのサウンドグループとされる。
【０００７】
そして、１サウンドグループは、ステレオの左および右チャンネルのデジタルオーディオデータを、データ圧縮された状態で全部で512サンプル分ずつ有する。したがって、１サウンドグループの時間長は、
512サンプル／44.1ｋHz≒11.61ｍ秒
となり、各チャンネルのデータ圧縮率は、
424バイト／（16ビット×512サンプル×２チャンネル）≒１／4.8倍
となり、上記のように約１／５のデータ圧縮となる。
【０００８】
そして、このようなフォーマットの信号に記録用のエンコード処理がされてから光ディスクにトラックとして記録されている。
【０００９】
なお、上述の光ディスクの再生は、記録時と相補の処理を行えばよい。すなわち、光ピックアップによりディスクのトラックから信号を光学的に再生し、その再生信号からデータ圧縮されたデジタルオーディオデータを取り出してエラー訂正し、そのエラー訂正のされたデジタルオーディオデータをデータ伸長してからＤ／Ａ変換する。そのようにすれば、もとのアナログオーディオ信号を得ることができる。
【００１０】
【発明が解決しようとする課題】
ところで、上記の光ディスクを使用するディスクプレーヤ（あるいは記録再生装置）において、その光ディスクに汚れや振動などがあると、ディスクからの信号の読み出しに失敗し、その結果、デジタルオーディオデータに欠けを生じて再生音に音切れを生じてしまうことがある。
【００１１】
そこで、実際のディスクプレーヤにおいては、以下のようにして、そのような音切れを防止するようにしている。すなわち、まず、ディスクから信号の読み出し（再生）を行うとき、その読み出された信号に含まれるデジタルオーディオデータ、つまり、データ伸長前のデジタルオーディオデータのビットレイト（ビットの速度）が、データ伸長後のデジタルオーディオデータのビットレイトに例えば等しくなるようにしておく。
【００１２】
すると、ディスクから信号の読み出しを行うとき、すべてが正常であれば、ディスクの回転周期を単位として同じデジタルオーディオデータが約５回ずつ繰り返し得られることになり、そのうちの１回分のデジタルオーディオデータを有効に使用すればよいことになる。
【００１３】
さらに、ディスクプレーヤの再生系には、図７に模式的に示すように、リングバッファRBUFを設ける。そして、このリングバッファRBUFに、エラー訂正後であってデータ伸長前のデジタルオーディオデータを、斜線で示すように順に書き込んでいくとともに、このとき、その書き込みアドレスＡWRを、所定の速度、つまり、正常時（定常時）であれば、記録時のデータ圧縮後のデジタルオーディオデータのビットレイトに対応した速度で、増加方向に変更していく。
【００１４】
なお、この場合、その書き込みは、セクタ単位で行う。また、実際には、書き込みポインタが用意され、その書き込みポインタの指定するアドレスから１セクタ分のエリアにわたってデジタルオーディオデータが書き込まれる。そして、このことは読み出しについても同様である。
【００１５】
また、この書き込みと同時に、リングバッファRBUFから、これに書き込まれているデジタルオーディオデータを読み出すとともに、このとき、その読み出しアドレスＡRDを、増加方向に変更する。そして、この読み出したデジタルオーディオデータをデータ伸長し、その後、アナログオーディオ信号にＤ／Ａ変換する。
【００１６】
なお、この読み出しはセクタ単位で行う。また、このとき、読み出しが連続して実行されても、定常状態では、リングバッファRBUFにおけるデジタルオーディオデータのデータ量（斜線部分の大きさ）が、常に規定量に保持されるように、その書き込みが制御される。
【００１７】
したがって、ディスクからの信号の読み出しに失敗し、その結果、リングバッファRBUFに対するデジタルオーディオデータの書き込みができなくなっても、リングバッファRBUFに対する読み出しアドレスＡRDが、書き込みアドレスＡWRに追い付くまで（斜線のエリアがなくなるまで）、再生音に音切れを生じることがない。
【００１８】
そして、この読み出しアドレスＡRDが書き込みアドレスＡWRに追い付くまでの期間に、ディスクからの信号の読み出しを何回か実行することができるので、この読み出しのリトライにより、結果としてリングバッファRBUFに書き込まれるデジタルオーディオデータを欠けのないものとすることができ、したがって、再生音に音切れを生じることがないようにできる。
【００１９】
また、このとき、ディスクの読み出し信号に含まれるデジタルオーディオデータは、データ伸長後のデジタルオーディオデータの約５倍のビットレイトとなっているので、リングバッファRBUFに対する書き込みアドレスＡWRと読み出しアドレスＡRDの間隔を、定常時には規定の大きさに保持しておくことができ、したがって、ディスクからの信号の失敗に対して常に対処することができる。
【００２０】
しかも、この場合、データ伸長前のデジタルオーディオデータをリングバッファRBUFに書き込み・読み出しすることにより音切れの防止処理を行うようにしているので、データ伸長後のデジタルオーディオデータにより同様の処理を行う場合に比べ、リングバッファRBUFの容量を約１／５にすることができる。
【００２１】
ただし、上記のようにリングバッファRBUFを使用して音切れを防止する場合、再生の開始時には、リングバッファRBUFは空なので、リングバッファRBUFにデジタルオーディオデータが書き込まれていって書き込みアドレスＡWRが所定のアドレスＡTHになるまで、リングバッファRBUFからの読み出しを待ち、デジタルオーディオデータがアドレスＡTHまで書き込まれたら読み出しを開始することになる。
【００２２】
ところで、上述のような光ディスクを使用するディスクプレーヤあるいは記録再生装置において、次のような特殊な再生機能を有するものがある。
【００２３】
［ＡＭＳ再生］
ある曲を再生中、早送りキーを短く押すと、再生位置を次の曲の先頭までジャンプし、次の曲の先頭位置から再生を続行する。あるいは、ある曲を再生中、早戻しキーを短く押すと、再生位置を現在の曲の先頭までジャンプし、この先頭位置から再生を再開する。
【００２４】
［早送り再生（ＣＵＥ再生）］
ある曲を再生中、早送りキーを長く押すと、早送りキーを押している期間、光ピックアップを通常の再生時よりも高速に正方向に移動させて正方向の高速再生を行う。早送りキーを押すのを止めると、その止めた位置から通常の再生に戻る。
【００２５】
［早戻し再生（ＲＥＶ再生）］
ある曲を再生中、早戻しキーを長く押すと、早戻しキーを押している期間、光ピックアップを通常の再生時よりも高速に逆方向に移動させて逆方向の高速再生を行う。早戻しキーを押すのを止めると、その止めた位置から通常の再生に戻る。
【００２６】
なお、早送り再生と早戻し再生とは、光ピックアップの移動方向が異なるだけで、再生された信号の処理方法は同じなので、以下においては、早送り再生により両機能を代表して説明する。
【００２７】
また、以下の説明においては、ＡＭＳ再生のために早送りキーを短く押す時間と、早送り再生のために早送りキーを長く押す時間との境界の時間は、例えば0.5秒であるとする。すなわち、早送りキーを押しても、0.5秒以内に押すのをやめれば、ＡＭＳ再生が実行され、0.5秒以上押していると、早送り再生が実行されるものとする。
【００２８】
そして、ディスクプレーヤにおいては、早送り再生（および早戻し再生）を実現するため、図５に示すような処理を実行している。すなわち、図５Ａは、早送りキーの操作状態を示すもので、期間ｔ1〜ｔ4が早送りキーの押されている期間である。また、時点ｔ2は、時点ｔ1から例えば0.5秒後の時点であり、早送り再生が確定する時点である。今は、早送り再生を実行する場合なので、時点ｔ2以後の任意の時点ｔ4まで早送りキーが押されている。
【００２９】
さらに、図５Ｂは、光ピックアップの動きを示し、時点ｔ2までは、再生モードにおける動きとされているが、期間ｔ2〜ｔ4には早送り再生用の高速移動とされ、時点ｔ4から再び再生モードにおける動きとされる。
【００３０】
また、図５Ｃは、リングバッファRBUFに書き込まれるデジタルオーディオデータを示し、時点ｔ2までは、再生モードのデジタルオーディオデータが書き込まれるが、時点ｔ2に早送り再生が確定すると、リングバッファRBUFのすべてのデジタルデータは捨てられ、その後、早送り再生モードのデジタルオーディオデータが書き込まれていく。そして、時点ｔ4に早送り再生モードが解除されるので、時点ｔ4にリングバッファRBUFのすべてのデジタルオーディオデータが捨てられ、その後、再び再生モードのデジタルオーディオデータが書き込まれていく。
【００３１】
さらに、図５Ｄは、リングバッファRBUFから読み出されるデジタルオーディオデータを示し、時点ｔ2までは、再生モードのデジタルオーディオデータが読み出されている。しかし、時点ｔ2にリングバッファRBUFのすべてのデジタルオーディオデータが捨てられ、時点2から新しく早送り再生モードのデジタルオーディオデータがリングバッファRBUFに書き込まれるようになるが、上記のようにデジタルオーディオデータがアドレスＡTHに書き込まれるまでは、その読み出しが許可されない。
【００３２】
そして、時点ｔ3に、早送り再生のデジタルオーディオデータがアドレスＡTHまで書き込まれると、リングバッファRBUFの読み出しが許可されるので、この時点ｔ3から早送り再生モードのデジタルオーディオデータが読み出されるようになる。
【００３３】
そして、時点ｔ4、ｔ5に、時点ｔ2、ｔ3と同様の読み出し処理が実行され、時点ｔ5以後、再生モードのデジタルオーディオデータが読み出される。
【００３４】
そして、以上のように読み出されたデジタルオーディオデータからアナログオーディオ信号が再生されるのであるから、ディスクプレーヤから出力されるアナログオーディオ信号は図５Ｅに示すようになる。すなわち、時点ｔ2までは、再生モードのオーディオ信号が出力されているが、期間ｔ3〜ｔ4には早送り再生モードのオーディオ信号が出力され、時点ｔ5以後、再び再生モードのオーディオ信号が出力される。
【００３５】
こうして、再生中に早送りキーを長く押すと、早送り再生が実現される。また、再生中に早戻りキーを押したときも、同様にして早戻し再生が実現される。なお、ＡＭＳ再生は図６に示すようにして実現される。
【００３６】
ところが、上述のように、また、図５Ｅに示すように、早送り再生あるいは早戻し再生を実行したときには、期間ｔ2〜ｔ3が無音となってしまう。すなわち、再生モードから早送り再生モード（および早戻し再生モード）に切り換わるときに、音切れを生じてしまう。これは、ユーザにとって不快であり、ユーザインターフェイスに優れた機構とは言えない。
【００３７】
この発明は、このような問題点を解決しようとするものである。
【００３８】
【課題を解決するための手段】
この発明においては、
記録媒体から読み出されたデータを蓄積するメモリと、
操作される期間が所定の期間以上のときには、上記データの早送り再生あるいは早戻し再生の指示を行い、上記操作される期間が上記所定の期間未満のときには、上記データの頭出しの指示を行うための操作手段と、
上記メモリから読み出されたデータを再生する再生手段と、
上記操作手段の指示にしたがって所定の制御を行う制御手段と
を有し、
上記制御手段の行う上記所定の制御が、
上記再生手段におけるデータの再生中に上記操作手段の操作が開始されたとき、この操作が開始される以前に上記メモリに蓄積されているデータのうち、上記所定の期間において再生するための最新の所定量のデータを上記メモリに残し、かつ、この最新の所定量のデータ以外のデータを上記メモリから捨て、その後、上記早送り再生あるいは早戻し再生に遷移してこの早送り再生あるいは早戻し再生におけるデータの上記メモリへの書き込みを開始させ、
上記早送り再生あるいは早戻し再生のデータの再生中に上記操作手段により上記早送り再生あるいは早戻し再生の解除の操作がされたときには、上記メモリに蓄積されている上記早送り再生あるいは早戻し再生のデータをすべて捨てて新たに再生用のデータを上記メモリに書き込ませ、
上記再生手段におけるデータ再生中に上記操作手段の操作が開始されたときに、この操作手段の操作された期間が上記所定の期間未満のときには、上記メモリに蓄積されているデータをすべて捨て、次のデータの先頭位置のデータの再生を実行させる
制御であるようにしたデータ再生装置
とするものである。
したがって、再生モードから早送り再生モードあるいは早戻し再生モードに切り換わるときも、メモリから読み出されるデータが連続し、この結果、音切れを生じることがない。
【００３９】
【発明の実施の形態】
［記録再生装置の構成］
図１は、この発明が適用されたミニディスクの記録再生装置の一例を示す。そして、符号１はそのミニディスクで、このディスク１は、図８により説明した規格の光磁気ディスクとされているとともに、カートリッジ１Ａに収納されている。また、ディスク１には、光ビームのトラッキング制御用としてプリグルーブが形成されているとともに、このプリグルーブに絶対アドレス信号が記録されている。
【００４０】
さらに、ディスク１は、スピンドルモータ２により回転されるとともに、その回転は、サーボ制御回路５により、ディスク１の線速度が一定となるように制御される。また、ディスク１の一方の面には、カートリッジ１Ａのシャッター開口部を通じて記録用の磁気ヘッド３が対向して配置され、ディスク１の他方の面には、シャッター開口部を通じて光ピックアップ４が対向して配置される。そして、この光ピックアップ４のフォーカスおよびトラッキングが、サーボ制御回路５により制御されるとともに、ヘッド３および光ピックアップ４は、送りモータ６により、ディスク１の半径方向に移動できるようにされている。
【００４１】
また、システムコントローラ２０が設けられ、この記録再生装置の動作が管理される。このため、このシステムコントローラ２０はマイクロコンピュータにより構成され、その動作を管理するプログラムの一部として、例えば図２に示す特殊再生ルーチン１００を有する。このルーチン１００の詳細については、後述するが、図２においては、簡単のため、この発明に関係する部分だけを抜粋して示すとともに、システムコントローラ２０により制御される周辺回路の実行する処理についても一緒に示している。
【００４２】
さらに、システムコントローラ２０には、イジェクトキー、再生キー、停止キー、録音キー、消去キー、電源キーなどの操作キー１０が接続されるとともに、ディスプレイ３０が接続され、このディスプレイ３０にディスク１に関する各種の情報、例えば再生中の曲の経過時間や再生中の曲のトラック番号などが表示される。
【００４３】
また、符号３１〜４２は記録再生回路を示し、この記録再生回路がシステムコントローラ２０により制御され、以下のように記録および再生が実行される。
【００４４】
［記録時］
記録時には、ステレオのアナログオーディオ信号が、入力端子３１を通じてＡ／Ｄコンバータ３２に供給され、サンプリング周波数が44.1ｋHzで、量子化ビット数が16ビットのデジタルオーディオデータにＡ／Ｄ変換され、このデジタルオーディオデータが、音声圧縮エンコード／デコード回路３３に供給されてＭＤＣＴにより約１／５のデータ量にデータ圧縮される。
【００４５】
そして、このデータ圧縮されたデジタルオーディオデータは、メモリコントローラ３４によりバッファメモリ３５にいったん書き込まれるとともに、その書き込み速度の約５倍の速度で順番に読み出され、この読み出されたオーディオデータが、データエンコード／デコード回路３６に供給されて上述したセクタ構造のデータにエンコードされる。
【００４６】
そして、このエンコードされたオーディオデータが、ＥＦＭおよびＣＩＲＣエンコード／デコード回路３７に供給され、エラー検出訂正用のエンコード処理が行われるとともに、記録に適した変調処理、この例においては、ＥＦＭ（８−14変調）処理が行われる。なお、エラー検出訂正用の符号は、この例においては、ＣＤのＣＩＲＣに対してインターリーブを変更したものが使用される。また、このエンコード／デコード回路３７において、リンキングセクタＬ2〜Ｌ4、Ｌ1が付加され、上述したクラスタ構造のオーディオデータとされる。
【００４７】
そして、このオーディオデータが、ヘッド駆動回路３８を通じてヘッド３に供給され、オーディオデータで変調された磁界がディスク１に供給される。また、このとき、光ピックアップ４からのレーザービームがディスク１に照射されるとともに、磁気ヘッド３と光ピックアップ４とは、同期してディスク１の半径方向に移動される。こうして、光ピックアップ４の光の照射と、磁気ヘッド３による変調磁界とにより、ディスク１には熱磁気記録によって駆動回路３８からのオーディオデータが記録される。
【００４８】
さらに、この記録時、光ピックアップ４の検出出力が、ＲＦアンプ３９を通じてアドレスデコーダ４０に供給され、ディスク１のプリグルーブに記録されている絶対アドレス信号が抽出されてデコードされ、このデコードされた絶対アドレス信号がＥＦＭおよびＣＩＲＣエンコード／デコード回路３７に供給されてオーディオデータに挿入され、ディスク１に記録される。
【００４９】
また、この絶対アドレス信号は、システムコントローラ２０にも供給され、記録位置の認識および位置制御にも使用される。さらに、ＲＦアンプ３９の出力信号がサーボ制御回路５に供給され、ディスク１のプリグルーブの信号によりディスク１の線速度が一定となるようにサーボ制御される。
【００５０】
［通常の再生時］
再生時には、プリグルーブの信号をサーボ制御回路５が使用して、記録時と同様にしてディスク１が記録時と等しい一定の線速度で回転させられる。
【００５１】
また、光ピックアップ４により、目的のトラックを照射したレーザー光の反射光が検出されるとともに、この検出出力がＲＦアンプ３９に供給され、例えば非点収差法によりフォーカスエラーが検出され、例えばプッシュプル法によりトラッキングエラーが検出される。そして、これらのエラー信号がサーボ制御回路５に供給されてフォーカスエラーおよびトラッキングエラーがなくなるように、光ピックアップ４が制御される。
【００５２】
さらに、ＲＦアンプ３９において、目的のトラックからの反射光の偏光角の違いが検出されて再生信号が取り出されるとともに、この再生信号が２値化されてＥＦＭおよびＣＩＲＣエンコード／デコード回路３７に供給される。
【００５３】
そして、ＥＦＭおよびＣＩＲＣエンコード／デコード回路３７においては、再生信号がＥＦＭ復調されるとともに、エラー訂正が行われてデジタルオーディオデータが取り出され、このデジタルオーディオデータがデータエンコード／デコード回路３６に供給されてもとの圧縮された状態のデジタルオーディオデータにデコードされる。そして、さらに、このデコードされたデジタルオーディオデータが、メモリコントローラ３４を通じてバッファメモリ３５に間欠的に書き込まれるとともに、書き込み速度の約１／５倍の速度で順番に読み出される。なお、このとき、バッファメモリ３５はリングバッファRBUFとして作用し、その書き込みおよび読み出しは、図７により説明したように行われる。
【００５４】
また、このとき、ＲＦアンプ３９の出力信号がアドレスデコーダ４０に供給され、プリグルーブからの絶対アドレス信号が抽出されてデコードされ、この絶対アドレス信号がＥＦＭおよびＣＩＲＣエンコード／デコード回路３７を通じてシステムコントローラ２０に供給され、サーボ制御回路５における光ピックアップ４のディスク半径方向の再生位置の制御に使用される。また、システムコントローラ２０においては、再生信号からセクタ単位のアドレス情報も抽出され、光ピックアップ４の再生位置の管理に使用される。
【００５５】
こうして、バッファメモリ３５からは、データ伸長されたデジタルオーディオデータが連続して読み出される。そして、この読み出されたデジタルオーディオデータが、メモリコントローラ３４を通じて音声圧縮エンコード／デコード回路３３に供給されてもとのデジタルオーディオデータにデータ伸長され、このデジタルオーディオデータがＤ／Ａコンバータ４１に供給されてもとのステレオアナログ信号にＤ／Ａ変換され、このステレオアナログ信号が出力端子４２に取り出される。
【００５６】
［早送り再生時（および早戻し再生時）］
上記の再生動作に加えて、特にこの発明においては、早送り再生時（および早戻し再生時）、図３に示すように、処理あるいは動作が実行される。
【００５７】
すなわち、図３Ａは、早送りキーの操作状態を示すもので、期間ｔ1〜ｔ4が早送りキーの押されている期間である。さらに、図３Ｂは、光ピックアップの動きを示し、時点ｔ1までは、再生モードにおける動きとされているが、期間ｔ1〜ｔ4には早送り再生用の高速移動とされ、時点ｔ4から再び再生モードの動きとされる。
【００５８】
また、図３Ｃは、リングバッファRBUFに書き込まれるデジタルオーディオデータを示し、時点ｔ1までは、再生モードのデジタルオーディオデータが書き込まれるが、時点ｔ1になると、リングバッファRBUFに書き込まれている再生モードのデジタルオーディオデータは、その最新の0.5秒分を残して捨てられる。
【００５９】
続いて、リングバッファRBUFには、早送り再生モードのデジタルオーディオデータが書き込まれていく。そして、時点ｔ4に早送り再生モードが解除されるので、時点ｔ4にリングバッファRBUFのすべてのデジタルオーディオデータがすてられ、その後、再び再生モードのデジタルオーディオデータが書き込まれていく。
【００６０】
さらに、図３Ｄは、リングバッファRBUFから読み出されるデジタルオーディオデータを示し、まず、時点ｔ1までは、再生モードのデジタルオーディオデータが読み出されている。そして、図３Ｃに示すように、リングバッファRBUFのデジタルオーディオデータは時点ｔ1に捨てられるが、このとき、最新の0.5秒分のデジタルオーディオデータはリングバッファRBUFに残されているので、時点ｔ1から0.5秒後の時点t2までの期間は、リングバッファRBUFから再生モードのデジタルオーディオデータを読み出すことができる。
【００６１】
さらに、時点ｔ1以後は、リングバッファRBUFには早送り再生のデジタルオーディオデータが書き込まれているので、時点ｔ2以後は、その時点ｔ1から書き込まれるようになった早送り再生モードのデジタルオーディオデータが読み出されるようになる。
【００６２】
そして、時点ｔ4にリングバッファRBUFのすべてのデジタルオーディオデータが捨てられ、時点4から新しく再生モードのデジタルオーディオデータがリングバッファRBUFに書き込まれるようになるが、これがアドレスＡTHに書き込まれるまでは、その読み出しが許可されない。
【００６３】
しかし、時点ｔ5に、再生モードのデジタルオーディオデータがアドレスＡTHまで書き込まれると、リングバッファRBUFの読み出しが許可されるので、この時点ｔ5から早送り再生モードのデジタルオーディオデータが読み出されるようになる。
【００６４】
そして、以上のように読み出されたデジタルオーディオデータからアナログオーディオ信号が再生されるのであるから、ディスクプレーヤから出力されるアナログオーディオ信号は図３Ｅに示すようになる。すなわち、時点ｔ2までは、再生モードのオーディオ信号が出力され、引き続き時点2から早送り再生モードのオーディオ信号が出力される。そして、時点ｔ5以後、再び再生モードのオーディオ信号が出力される。
【００６５】
したがって、再生中に早送りキーを長く押すと、早送り再生モードが実現されるが、再生モードから早送り再生モードに切り換わるときに、音切れを生じることがない。
【００６６】
なお、再生中に早戻りキーを押したときも、同様にして早戻し再生が実現される。また、ＡＭＳ再生は図４に示すようにして実現される。
【００６７】
そして、図３に示すような再生状態は、例えばルーチン１００により実現することができる。すなわち、任意の時点ｔ1に、操作キー１０のうちの早送りキーを押すと、これがシステムコントローラ２０により検出され、システムコントローラ２０において、ルーチン１００の処理がステップ１０１からスタートし、次にステップ１０２において、光ピックアップ４の高速移動の開始が指示され、続いてステップ１０３において、期間ｔ1〜ｔ2を計測するためのタイマが初期値にセットされる。
【００６８】
そして、その後、ステップ１０４において、リングバッファRBUFに書き込まれている再生モードのデジタルオーディオデータは、その最新の0.5秒分を残して捨てられる。なお、このデータの取捨は、実際には、メモリコントローラ３４を通じてリングバッファRBUFに対するアドレスＡWR、ＡRDが制御され、読み出しアドレスＡRDが、書き込みアドレスＡWRから見て0.5秒前に対応するアドレスに設定されることにより実現される。
【００６９】
続いて、処理はステップ１１１に進み、リングバッファRBUFが早送り再生モード、すなわち、リングバッファRBUFが早送り再生モードのデジタルオーディオデータを書き込むモードに制御される。そして、次に、ステップ１１２において、ステップ１０３でセットされたタイマが所定値だけインクリメントされ、その後、ステップ１１３において、そのタイマが0.5秒を計測したかどうか、すなわち、時点ｔ2になったかどうかがチェックされる。
【００７０】
そして、時点ｔ2になっていないときには、処理はステップ１１３からステップ１１４に進み、早送りキーが押されているかどうかがチェックされ、押されているときには、処理はステップ１１２に戻る。したがって、以後、ステップ１１２〜１１４が繰り返される。
【００７１】
そして、早送りキーが押されている状態が0.5秒以上続くと、すなわち、早送りキーが押された状態で時点ｔ2になると、処理はステップ１１３からステップ１２１に進み、このステップ１２１が、早送りキーの押されている期間、繰り返される。そして、時点ｔ4に早送りキーが押されなくなると、処理はステップ１２１からステップ１２２に進み、時点ｔ4以後の再生モードが実行される。したがって、図３において説明した早送り再生が実行されたことになる。
【００７２】
一方、ステップ１１２〜１１４が繰り返されている期間、すなわち、時点ｔ2になる前に、早送りキーを離すと、処理はステップ１１４からステップ１３１に進み、このステップ１３１において、リングバッファRBUFのすべてのデジタルオーディオデータが捨てられ、その後、ステップ１３２以降において、次の曲の先頭位置へのジャンプおよびジャンプ後の曲の再生が実行される。したがって、ＡＭＳ再生が実行されたことになる。
【００７３】
以上のようにして、このディスクプレーヤによれば、再生中に早送りキーあるいは早戻しキーを押すと、早送り再生あるいは早戻し再生を行うことができるが、再生モードから早送り再生モードあるいは早戻し再生モードに切り換わるときに、音切れを生じることがない。
【００７４】
また、図４および図６を比べれば、明らかなように、ＡＭＳ再生が影響されることもない。したがって、聴感上、違和感がなく、ユーザインターフェイスの優れたものとなる。
【００７５】
［その他］
上述において、ディスク１がＣＤであっても、記録時よりも高速のトラック速度にすることにより、この発明を適用することができる。
【００７６】
【発明の効果】
この発明によれば、再生中に早送りキーあるいは早戻しキーを押して再生モードから早送り再生モードあるいは早戻し再生モードに切り換えるときに、音切れを生じることがない。
【図面の簡単な説明】
【図１】この発明の一形態を示す系統図である。
【図２】この発明の一形態を示すフローチャートである。
【図３】この発明の一形態を示す遷移図である。
【図４】この発明の一形態を示す遷移図である。
【図５】この発明を説明するための遷移図である。
【図６】この発明を説明するための遷移図である。
【図７】この発明を説明するための模式図である。
【図８】この発明を説明するためのフォーマット図である。
【符号の説明】
１…光ディスク、２…スピンドルモータ、４…光ピックアップ、５…サーボ制御回路、６…送りモータ、２０…システムコントローラ、３２Ａ／Ｄコンバータ、３３…音声圧縮エンコード／デコード回路、３４…メモリコントローラ、３５…バッファメモリ、３６…データエンコード／デコード回路、３７…ＥＦＭおよびＣＩＲＣエンコード／デコード回路、３８…ヘッド駆動回路、３９…ＲＦアンプ、４０…アドレスデコーダ、１００…特殊再生ルーチン、RBUF…リングバッファ
【図１】
0004000425.tif 000002
【図２】
0004000425.tif 000003
【図３】
0004000425.tif 000004
【図４】
0004000425.tif 000005
【図５】
0004000425.tif 000006
【図６】
0004000425.tif 000007
【図７】
0004000425.tif 000008
【図８】
0004000425.tif 000009